(57)【特許請求の範囲】
【請求項１】
号機制御装置を通じて複数のエレベーターの運行を号機毎に群管理する群管理制御装置であって、
利用者によって行先階が登録される行先階登録装置から入力された前記行先階を受け付ける行先階入力受付部と、
前記行先階入力受付部によって受け付けられた前記行先階で利用可能な号機を選出する号機選出部と、
前記行先階登録装置に前記号機選出部によって選出された、前記利用者にサービス可能な前記号機のうち、前記行先階登録装置の号機情報表示部が表示可能な数で選択された前記号機の号機情報として、少なくとも前記エレベーターを利用可能となるまでの待ち時間、乗りかご内の混雑度のカテゴリーと、前記カテゴリーの評価結果とを含む前記号機情報を出力する号機情報出力部と、
前記行先階登録装置によって選択された前記号機の入力を受け付ける号機入力受付部と、
前記号機入力受付部が受け付けた前記号機を前記利用者に割当てる号機割当て部と、を備え、
前記行先階登録装置は、前記利用者の利用者情報に基づいて、前記行先階の登録、及び前記号機情報の選択を自動的に行い、前記待ち時間及び前記混雑度の評価結果を、選択された複数の前記号機毎に複数段階で評価された値として表示する
群管理制御装置。
【請求項２】
前記号機情報には、さらに前記乗りかごが前記行先階に到着するまでの到着予想時間に基づく到着予想のカテゴリーと、前記到着予想の評価結果とが含まれ、前記到着予想の評価結果が、選択された複数の前記号機毎に複数段階で評価された値として前記行先階登録装置に表示される
請求項１に記載の群管理制御装置。
【請求項３】
前記号機選出部は、前記行先階入力受付部によって受け付けられた前記行先階で利用可能な号機を、前記カテゴリー及び前記評価結果に従って選出する
請求項２に記載の群管理制御装置。
【請求項４】
さらに、前記行先階登録装置に前記カテゴリー及び前記評価結果を出力するカテゴリー出力部と、
前記行先階登録装置によって選択された前記カテゴリー及び前記評価結果の入力を受け付けるカテゴリー入力受付部と、を備え、
前記号機選出部は、前記カテゴリー入力受付部が受け付けた前記カテゴリー及び前記カテゴリーの評価結果に基づいて前記号機を選出する
請求項３に記載の群管理制御装置。
【請求項５】
前記号機情報には、さらに利用可能なサービス階のカテゴリーと、前記サービス階の情報とが含まれ、前記サービス階の情報が前記行先階登録装置に表示される
請求項１に記載の群管理制御装置。
【請求項６】
前記号機選出部は、前記号機情報に基づいて、割当て可能な前記号機を選出し、
前記行先階入力受付部は、前記号機入力受付部によって受け付けられた前記号機の行先階を受け付ける
請求項５に記載の群管理制御装置。
【請求項７】
エレベーターの動作を制御する号機制御装置と、
利用者によって行先階が登録される行先階登録装置と、
前記号機制御装置を通じて複数の前記エレベーターの運行を号機毎に群管理する群管理制御装置と、を備え、
前記群管理制御装置は、
前記行先階登録装置から入力された前記行先階を受け付ける行先階入力受付部と、
前記行先階入力受付部によって受け付けられた前記行先階で利用可能な号機を選出する号機選出部と、
前記行先階登録装置に前記号機選出部によって選出された、前記利用者にサービス可能な前記号機のうち、前記行先階登録装置の号機情報表示部が表示可能な数で選択された前記号機の号機情報として、少なくとも前記エレベーターを利用可能となるまでの待ち時間、乗りかご内の混雑度のカテゴリーと、前記カテゴリーの評価結果とを含む前記号機情報を出力する号機情報出力部と、
前記行先階登録装置によって選択された前記号機の入力を受け付ける号機入力受付部と、
前記号機入力受付部が受け付けた前記号機を前記利用者に割当てる号機割当て部と、を有し、
前記行先階登録装置は、前記利用者の利用者情報に基づいて、前記行先階の登録、及び前記号機情報の選択を自動的に行い、前記待ち時間及び前記混雑度の評価結果を、選択された複数の前記号機毎に複数段階で評価された値として表示する
群管理制御システム。
【発明の詳細な説明】
【技術分野】
【０００１】
本発明は、複数のエレベーターの運行を号機毎に群管理する群管理制御装置及び群管理制御システムに関する。
【背景技術】
【０００２】
従来のエレベーター用行先階登録装置は、利用者が行先階を登録すると、群管理制御システムが運転効率の良い最適な号機を割当て、利用者に乗車を促していた。
【０００３】
例えば、特許文献１に記載のエレベーターシステムにおいては、ＩＤカード、利用者が携帯している情報送信機等により、個人を認証し、情報を読み取って行先階の自動登録を行い最適な号機を割当てる技術が開示されている。
【先行技術文献】
【特許文献】
【０００４】
【特許文献１】特開２０１４−８４２１９号公報
【発明の概要】
【発明が解決しようとする課題】
【０００５】
しかしながら、特許文献１に開示されたエレベーターシステムによって割当てられる号機は必ずしも利用者が乗りたいエレベーターであるとは限らなかった。例えば、時間に余裕のある利用者や大きな荷物を抱えた利用者は、待ち時間が長くても混雑度が低くゆったりと乗ることが可能な号機を選びたいという要望があった。このように利用者個人の状況によって、利用者が乗りたいエレベーターは変わりうる。さらに、運転効率を重視して割当てられた号機に乗車するようエレベーター側に指示されることから、利用者は、当該号機に乗らなければいけないという義務感を感じることがあった。
【０００６】
本発明はこのような状況に鑑みて成されたものであり、エレベーターの利用者の利便性を高めることを目的とする。
【課題を解決するための手段】
【０００７】
本発明に係る群管理制御システムは、エレベーターの動作を制御する号機制御装置と、利用者によって行先階が登録される行先階登録装置と、号機制御装置を通じて複数のエレベーターの運行を号機毎に群管理する群管理制御装置と、を備える。
群管理制御装置は、行先階入力受付部、号機選出部、号機情報出力部、号機入力受付部、号機割当て部を備える。
行先階入力受付部は、行先階登録装置から入力された行先階を受け付ける。号機選出部は、行先階入力受付部によって受け付けられた行先階で利用可能な号機を選出する。号機情報出力部は、行先階登録装置に号機選出部によって選出された、利用者にサービス可能な号機のうち、行先階登録装置の号機情報表示部が表示可能な数で選択された号機の号機情報として、少なくともエレベーターを利用可能となるまでの待ち時間、乗りかご内の混雑度のカテゴリーと、カテゴリーの評価結果とを含む号機情報を出力する。号機入力受付部は、行先階登録装置によって選択された号機の入力を受け付ける。号機割当て部は、号機入力受付部が受け付けた号機を利用者に割当てる。そして、行先階登録装置は、利用者の利用者情報に基づいて、行先階の登録、及び号機情報の選択を自動的に行い、待ち時間及び混雑度の評価結果を、選択された複数の号機毎に複数段階で評価された値として表示する。
【発明の効果】
【０００８】
本発明によれば、行先階登録装置に表示される号機情報により、利用者が乗りたい号機を利用者自身で選択することが可能となり、利便性が向上する。
上記した以外の課題、構成及び効果は、以下の実施の形態例の説明により明らかにされる。
【図面の簡単な説明】
【０００９】
【図１】本発明の第１の実施の形態例に係る群管理制御システムの内部構成例を示すブロック図である。
【図２】本発明の第１の実施の形態例に係る計算機のハードウェア構成例を示すブロック図である。
【図３】本発明の第１の実施の形態例に係る行先階登録装置の表示例を示すユーザー・インタフェース図である。
【図４】本発明の第１の実施の形態例に係る群管理制御装置の処理例を示すフローチャートである。
【図５】本発明の第２の実施の形態例に係る群管理制御システムの内部構成例を示すブロック図である。
【図６】本発明の第２の実施の形態例に係る行先階登録装置の表示例を示すユーザー・インタフェース図である。
【図７】本発明の第２の実施の形態例に係る群管理制御装置の処理例を示すフローチャートである。
【図８】本発明の第３の実施の形態例に係る群管理制御システムの内部構成例を示すブロック図である。
【図９】本発明の第３の実施の形態例に係る行先階登録装置の表示例を示すユーザー・インタフェース図である。
【図１０】本発明の第３の実施の形態例に係る群管理制御装置の処理例を示すフローチャートである。
【発明を実施するための形態】
【００１０】
以下、本発明を実施するための形態例について、添付図面を参照して説明する。本明細書及び図面において、実質的に同一の部又は構成を有する構成要素については、同一の符号を付することにより重複する説明を省略する。
【００１１】
［第１の実施の形態例］
始めに、本発明の第１の実施の形態例に係るエレベーター行先階登録装置について説明する。
図１は、群管理制御システム１の内部構成例を示すブロック図である。
【００１２】
群管理制御システム１は、行先階登録装置１０、群管理制御装置２０、号機制御装置３０を備える。
行先階登録装置１０は、エレベーターの利用者が行先階を登録するために用いられる。行先階登録装置１０は、例えば、エレベーターホールに設置される。
群管理制御装置２０は、エレベーターの運行効率を上げるために、号機制御装置３０を通じて複数のエレベーターの運行を号機毎に群管理する。
号機制御装置３０は、Ａ号機からＮ号機（Ｎは、号機の数を表す）までの号機毎に乗りかご３１（エレベーター）の昇降動作等を制御する。
【００１３】
行先階登録装置１０は、入出力制御システム１１、行先階登録部１２、号機選択部１３、号機情報表示部１４を備える。
入出力制御システム１１は、行先階登録、号機情報表示、号機選択の入出力を制御する。
行先階登録部１２は、利用者によって入力された行先階を登録する。
号機選択部１３は、号機情報表示部１４に表示された号機から利用者が乗車を希望する号機が選択されたことにより、号機を登録する。
号機情報表示部１４は、利用者が乗車可能な号機情報の表示を行う。号機情報には、エレベーターを利用可能となるまでの待ち時間、乗りかご内の混雑度、及び行先階に到着するまでの到着予想時間に基づく到着予想のカテゴリーと、カテゴリーの評価結果とが含まれる。
【００１４】
群管理制御装置２０は、行先階入力受付部２１、待ち時間演算部２２、混雑度判定部２３、到着予想演算部２４、号機選出部２５、号機情報出力部２６、号機入力受付部２７、号機割当て部２８を備える。
【００１５】
行先階入力受付部２１は、行先階登録装置１０によって登録された行先階の入力を受け付ける。行先階の登録は、行先階登録装置１０の行先階登録部１２によって行われる。
【００１６】
待ち時間演算部２２は、行先階登録装置１０が設置されたフロアに乗りかご３１が到着するまでの各号機の待ち時間を算出する。各号機の待ち時間は、行先階登録装置１０の号機情報表示部１４に「短」、「中」、「長」と表示される。
【００１７】
混雑度判定部２３は、各号機の混雑度を判定する。例えば、乗りかご３１に設けられた秤装置がかご内の重さを計量し、かご内カメラが撮像した映像により画像解析が行われる。そして、混雑度判定部２３は、かご内の重さ及び画像解析による人物の占有面積によって、乗りかご３１内の混雑度を判定することが可能である。各号機の混雑度は、号機情報表示部１４に「高」、「中」、「低」と表示される。
【００１８】
到着予想演算部２４は、入力された行先階から目的階までの到着予想時間を算出する。なお、算出された到着予想時間は、号機情報表示部１４には表示されず、「早」、「中」、「遅」と表示される。
【００１９】
号機選出部２５は、号機情報に基づいて、利用者が利用可能な号機を選出する。この号機選出部２５は、行先階入力受付部２１によって受け付けられた行先階で利用可能な号機を、待ち時間演算部２２、混雑度判定部２３、到着予想演算部２４から入力するカテゴリー及び評価結果に従って選出する。
号機情報出力部２６は、号機選出部２５によって選出された号機の号機情報を行先階登録装置１０に出力する。
【００２０】
号機入力受付部２７は、行先階登録装置１０によって選択された号機の入力を受け付ける。号機の選択は、号機選択部１３によって行われる。
号機割当て部２８は、号機入力受付部２７が受け付けた号機を割当てる。
号機制御装置３０は、Ａ号機〜Ｎ号機までの号機毎に、乗りかご３１の昇降、かごドア及びホールドアの開閉等を含むエレベーター装置の動作を制御する。
【００２１】
次に、群管理制御システム１の各装置を構成する計算機Ｃのハードウェア構成を説明する。
図２は、計算機Ｃのハードウェア構成例を示すブロック図である。
【００２２】
計算機Ｃは、いわゆるコンピュータとして用いられるハードウェアである。計算機Ｃは、バスＣ４にそれぞれ接続されたＣＰＵ（Central Processing Unit：中央処理装置）Ｃ１、ＲＯＭ（Read Only Memory）Ｃ２、ＲＡＭ（Random Access Memory）Ｃ３を備える。さらに、計算機Ｃは、表示部Ｃ５、操作部Ｃ６、不揮発性ストレージＣ７、ネットワークインタフェースＣ８とを備える。
【００２３】
ＣＰＵ Ｃ１は、本実施の形態例に係る各部を実現するソフトウェアのプログラムコードをＲＯＭ Ｃ２から読み出して実行する。ＲＡＭ Ｃ３には、ＣＰＵ Ｃ１による演算処理の途中に発生した変数やパラメータ等が一時的に書き込まれる。行先階登録装置１０、群管理制御装置２０、号機制御装置３０内の各処理ブロックの機能は、ＣＰＵ Ｃ１がＲＯＭ Ｃ２から読出したプログラムコードを読出して実行することにより実現される。
【００２４】
表示部Ｃ５は、例えば、液晶ディスプレイモニタであり、計算機Ｃで行われる処理の結果等をユーザに表示する。操作部Ｃ６には、例えば、キーボード、マウス等が用いられ、ユーザが所定の操作入力、指示を行うことが可能である。行先階登録装置１０では、表示部Ｃ５と操作部Ｃ６を重ねたタッチパネルディスプレイとして構成されている。号機制御装置３０は、乗りかご３１の到着を知らせるために表示部Ｃ５を備えている。なお、群管理制御装置２０は、表示部Ｃ５、操作部Ｃ６を備えなくてもよい。
【００２５】
不揮発性ストレージＣ７としては、例えば、ＨＤＤ（Hard disk drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等が用いられる。この不揮発性ストレージＣ７には、ＯＳ（Operating System）、各種のパラメータの他に、計算機Ｃを機能させるためのプログラムが記録されている。
【００２６】
ネットワークインタフェースＣ８には、例えば、ＮＩＣ（Network Interface Card）等が用いられ、端子が接続されたＬＡＮ（Local Area Network）、専用線等を介して各種のデータを送受信することが可能である。ネットワークインタフェースＣ８は、行先階登録装置１０と群管理制御装置２０の間、群管理制御装置２０と号機制御装置３０の間に設けられている。
【００２７】
次に、行先階登録装置１０に表示される画面の表示例について説明する。
図３は、行先階登録装置１０の表示例を示すユーザー・インタフェース図である。
【００２８】
図３Ａに示すように、行先階登録装置１０には、利用者が行先階を登録するための行先階登録部１２が表示される。行先階登録部１２には、例えば、０〜９までの数字キーと記号キーが含まれている。利用者が「９」を選択すると、行先階登録部１２の上部に「９」と表示される。
【００２９】
その後、図３Ｂに示すように、行先階登録装置１０には、号機選択部１３と号機情報表示部１４が表示される。号機選択部１３には、利用者に割当て可能な「Ａ」〜「Ｃ」の３台のエレベーター装置の号機番号が表示される。なお、４つ以上の号機番号が号機選択部１３に表示されてもよいが、利用者が選択容易とするために、表示される号機番号は３つまでとしている。
【００３０】
号機情報表示部１４には、「Ａ」〜「Ｃ」の号機番号で特定されるエレベーター装置毎に、待ち時間、混雑度、到着予想のカテゴリーが表示される。各カテゴリーには、評価結果が含まれる。待ち時間の評価結果は、「短」、「中」、「長」のいずれかであり、混雑度の評価結果は、「高」、「中」、「低」のいずれかであり、到着予想の評価結果は、「早」、「中」、「遅」のいずれかである。このように号機情報表示部１４には、待ち時間、混雑度、到着予想のカテゴリーと共に、各カテゴリーを３段階で評価した評価結果が表示される。このため、利用者は、自身が優先したいカテゴリーと、カテゴリーの評価結果に従って、乗車したい号機を選択することが可能である。このように到着予想が表示されるため、例えば、利用者は、待ち時間が少し長くても、到着予想が最も早い号機「Ａ」を選ぶことが可能となる。
【００３１】
また、利用者が選択可能な号機は、サービス可能な号機が２台であれば、そのどちらかを選択できるように表示し、選択できる号機が４台以上の場合は、サービス可能な号機中３台を選出し、行先階登録装置１０に表示する。他の号機は別のサービスに割当てても構わない。ただし、選べる号機が増えるにつれて、利用者が号機を選択する判断を迷うため、号機の台数を３台程度として号機情報表示部１４に表示するのが妥当である。
【００３２】
図４は、群管理制御装置２０の処理例を示すフローチャートである。
【００３３】
始めに、行先階入力受付部２１は、図３Ａに示したように利用者が行先階登録部１２を操作して、行先階を登録したか判定する（Ｓ１）。行先階が登録されていなければ（Ｓ１のＮＯ）、ステップＳ１に戻って行先階の登録を待つ。
【００３４】
行先階が登録されていれば（Ｓ１のＹＥＳ）、号機選出部２５が利用者に割当て可能な号機を選出する（Ｓ２）。このとき、号機選出部２５は、待ち時間演算部２２、混雑度判定部２３、到着予想演算部２４から、それぞれ割当て可能号機の号機情報（待ち時間、混雑度、到着予想等）を取得する（Ｓ３）。
【００３５】
次に、号機情報出力部２６は、号機選出部２５によって選出された割当て可能号機と、号機選出部２５が取得した号機情報を行先階登録装置１０に出力する。これにより、図３Ｂに示したように号機情報表示部１４は、行先階登録装置１０に割当て可能号機及び号機情報を表示する（Ｓ４）。そして、利用者は、号機選択部１３を操作して、乗車を希望する号機を登録することができる。
【００３６】
次に、号機入力受付部２７は、利用者が乗車を希望する号機が登録されたか否かを判定する（Ｓ５）。号機が登録されていなければ（Ｓ５のＮＯ）、号機入力受付部２７は、ステップＳ５に戻り、号機が登録されるまで待機する。号機が登録されていれば（Ｓ５のＹＥＳ）、号機割当て部２８は、登録された号機を利用者に割当てて（Ｓ６）、本処理を終了する。その後、利用者は割当てられた号機に乗車することができる。行先階登録装置１０には、利用者が選択した号機番号を表示してもよい。
【００３７】
なお、利用者に号機が割当てられたことにより、この号機の混雑度、到着予想時間が変わると考えられる。このため、混雑度判定部２３、到着予想演算部２４は、利用者に割当てられた号機について、混雑度、到着予想時間を判定し直し、次の利用者が行先階登録装置１０を使う際には、号機選出部２５は、待ち時間の他、新たに判定された混雑度、到着予想時間により号機を選出する。
【００３８】
以上説明した第１の実施の形態例に係る群管理制御システム１では、利用者が行先階を登録した後、この行先階に割当て可能な号機が行先階登録装置１０に複数表示される。そして、割当て可能な号機には、待ち時間、混雑度、到着予想のカテゴリーと、各カテゴリーを３段階で評価した評価結果が表示される。このため、利用者は、自身の希望に合わせて号機を選択し、割当て登録を受けることができる。このように群管理制御システム１は、利用者に対して安心、快適、利便性の高いエレベーターサービスを提供することが可能となる。
【００３９】
［第２の実施の形態例］
次に、本発明の第２の実施の形態例に係る群管理制御システムについて説明する。
図５は、群管理制御システム１Ａの内部構成例を示すブロック図である。群管理制御システム１Ａは、利用者が行先階を登録する前に号機情報を表示することで、利用者が乗車を希望する号機を選択可能とする。
【００４０】
群管理制御システム１Ａは、行先階登録装置１０、群管理制御装置２０Ａ、号機制御装置３０を備える。
群管理制御装置２０Ａは、待ち時間演算部２２、混雑度判定部２３、サービス階判定部２９を備える。また、群管理制御装置２０Ａは、号機選出部２５、号機情報出力部２６、号機入力受付部２７、行先階入力受付部２１、号機割当て部２８を備える。
【００４１】
行先階入力受付部２１は、上述した第１の実施の形態例とは異なり、号機入力受付部２７と、号機割当て部２８との間に配置されている。このため、号機選出部２５が号機情報に基づいて、割当て可能な号機を選出した後、行先階入力受付部２１が号機入力受付部２７によって受け付けられた号機の行先階を受け付ける。
【００４２】
第２の実施の形態例において、号機情報には、エレベーターを利用可能となるまでの待ち時間、乗りかご内の混雑度、及び利用可能なサービス階のカテゴリーと、各カテゴリーの評価結果とが含まれる。このため、サービス階判定部２９は、群管理制御装置２０が利用者に提供可能なサービス階、すなわち利用者が降車可能なサービス階まで利用者が乗車可能な号機を判定する。
【００４３】
次に、行先階登録装置１０に表示される画面の表示例について説明する。
図６は、行先階登録装置１０の表示例を示すユーザー・インタフェース図である。
【００４４】
図６Ａに示すように、行先階登録装置１０には、号機選択部１３と号機情報表示部１４が表示される。号機選択部１３には、利用者が乗車可能な号機番号として、「Ａ」〜「Ｃ」で特定される３台のエレベーター装置の号機番号が表示される。号機情報表示部１４には、「Ａ」〜「Ｃ」の号機番号毎に号機情報として、待ち時間、混雑度、サービス階のカテゴリーと、カテゴリーの評価結果が表示される。
【００４５】
このように利用者が号機を選択可能なカテゴリーとして行先階登録装置１０にサービス階が表示されるため、利用者は行先階と各号機情報とを比較し、利用者にとって最適な号機を選択しやすくなる。例えば、利用者が８階に行く場合、図６Ａに示す号機情報であれば、サービス階情報よりＢ、Ｃ号機の２台に絞られる。そして、利用者は、少し混雑しても待ち時間が短い方が良い場合はＢ号機を選択し、待ち時間が長くても混雑度が低い方が良い場合や、途中階で止まる号機に乗りたくない場合はＣ号機を選択することが可能となる。
【００４６】
その後、図６Ｂに示すように、行先階登録装置１０には、利用者がＣ号機を選択した場合に、利用者が行先階を登録するための行先階登録部１２が表示される。このとき、行先階登録部１２には、Ｃ号機がサービス可能な階（８〜１５階）を表示してもよい。そして、利用者は、号機選択部１３を操作してＣ号機がサービス可能な階（８〜１５階）を登録することができる。
【００４７】
図７は、群管理制御装置２０Ａの処理例を示すフローチャートである。
【００４８】
始めに、号機選出部２５は、利用者にサービス可能な号機（以下、「サービス可能号機」と呼ぶ）を選出する（Ｓ１１）。このとき、号機選出部２５は、待ち時間演算部２２、混雑度判定部２３、サービス階判定部２９から、それぞれサービス可能号機の号機情報（待ち時間、混雑度、サービス階等）を取得する（Ｓ１２）。
【００４９】
次に、号機情報出力部２６は、サービス可能号機の号機情報を行先階登録装置１０に出力する。これにより、図６Ａに示したように号機情報表示部１４は、行先階登録装置１０にサービス可能号機の号機情報を表示する（Ｓ１３）。そして、利用者は、号機選択部１３を操作して、乗車を希望する号機を登録することができる。
【００５０】
次に、号機入力受付部２７は、利用者が乗車を希望する号機が登録されたか否かを判定する（Ｓ１４）。号機が登録されていなければ（Ｓ１４のＮＯ）、号機入力受付部２７は、ステップＳ１４に戻り、号機が登録されるまで待機する。
【００５１】
号機が登録されていれば（Ｓ１４のＹＥＳ）、行先階入力受付部２１は、サービス可能階が登録されたか否かを判定する（Ｓ１５）。サービス可能階が登録されていない（Ｓ１５のＮＯ）、すなわち号機情報表示部１４で表示されていない行先階が登録された場合には、エレベーターの運行効率が大きく低下すると考えられる。このため、行先階入力受付部２１は、行先階登録装置１０にエラーを出力する。そして、入出力制御システム１１は、行先階登録装置１０にエラーメッセージを表示し（Ｓ１６）、再びステップＳ１５に戻る。エラーメッセージとしては、例えば、「その階へは止まりません」といったものがある。
【００５２】
サービス可能階が登録されていれば（Ｓ１５のＹＥＳ）、号機割当て部２８は、登録された号機を利用者に割当てて（Ｓ１７）、本処理を終了する。
【００５３】
以上説明した第２の実施の形態例に係る群管理制御システム１Ａでは、サービス可能な号機情報が表示される。この号機情報には、待ち時間、混雑度に加えて、号機毎にサービス可能なサービス可能階が含まれる。このため、利用者は、自身が利用したいサービス可能階にサービスを提供可能な号機を選択した後、この号機のサービス可能階を登録することができる。このように群管理制御システム１Ａでは、利用者がサービス可能階にて利用可能な号機を自由に選択することが可能であるため、自由度の高いエレベーターサービスを提供することが可能となる。
【００５４】
［第３の実施の形態例］
次に、本発明の第３の実施の形態例に係る群管理制御システムについて説明する。
図８は、群管理制御システム１Ｂの内部構成例を示すブロック図である。群管理制御システム１Ｂは、利用者が行先階を登録した後、カテゴリーを選択した後、さらにカテゴリーの評価結果を選択することで、選択されたカテゴリー及び評価結果に合わせた最適な号機を利用者に割当てることを可能とする。
【００５５】
群管理制御システム１Ｂは、行先階登録装置１０Ａ、群管理制御装置２０Ｂ、号機制御装置３０を備える。
行先階登録装置１０Ａは、行先階登録部１２、号機選択部１３、カテゴリー選択部１５を備える。
カテゴリー選択部１５は、利用者が登録した行先階に対して、優先すべきカテゴリーと、カテゴリーの評価結果を選択するために用いられる。
【００５６】
群管理制御装置２０Ｂは、第１の実施の形態例に係る行先階登録装置１０が備える各部の他に、カテゴリー出力部３１、カテゴリー入力受付部３２を備える。
カテゴリー出力部３１は、待ち時間演算部２２、混雑度判定部２３、到着予想演算部２４からそれぞれ号機毎に入力されたカテゴリー（待ち時間、混雑度、到着予想）を行先階登録装置１０Ａに出力する。また、カテゴリー出力部３１は、カテゴリーが選択された後、選択されたカテゴリーの評価結果（例えば、待ち時間であれば、「長」、「中」、「短」）を行先階登録装置１０に出力する。
カテゴリー入力受付部３２は、利用者により行先階登録装置１０Ａによって選択されたカテゴリー及び評価結果の入力を受け付ける。
そして、号機選出部２５は、カテゴリー入力受付部３２が受け付けたカテゴリー及びカテゴリーの評価結果に基づいて号機を選出する。
【００５７】
次に、行先階登録装置１０Ａに表示される画面の表示例について説明する。
図９は、行先階登録装置１０Ａの表示例を示すユーザー・インタフェース図である。
【００５８】
図９Ａに示すように、行先階登録装置１０には、利用者が行先階を登録するための行先階登録部１２が表示される。ここでは、利用者が「９」を選択して登録したとする。
【００５９】
次に、図９Ｂに示すように、行先階登録装置１０には、利用者がカテゴリーを選択するためのカテゴリー選択部１５が表示される。このカテゴリーには、待ち時間、混雑度、到着予想の３種類がある。例えば、利用者が「待ち時間」を選択すると、図９Ｃに示すように待ち時間の号機情報として「長」、「中」、「短」が表示される。そして、利用者が「長」を選択したとする。
【００６０】
その後、図９Ｄに示すように、行先階登録装置１０の号機選択部１３には、利用者に割当て可能な「Ｃ」、「Ｄ」の２台のエレベーター装置の号機番号が表示される。そして、利用者は、Ｃ号機又はＤ号機のいずれかを選択することができる。
【００６１】
図１０は、群管理制御装置２０Ｂの処理例を示すフローチャートである。
【００６２】
始めに、行先階入力受付部２１は、図９Ａに示したように利用者が行先階登録部１２を操作して、行先階を登録したか判定する（Ｓ２１）。行先階が登録されていなければ（Ｓ２１のＮＯ）、ステップＳ２１に戻って行先階の登録を待つ。
【００６３】
行先階が登録されていれば（Ｓ２１のＹＥＳ）、カテゴリー出力部３１は、待ち時間演算部２２、混雑度判定部２３、到着予想演算部２４から、それぞれ割当て可能号機のカテゴリー（待ち時間、混雑度、到着予想等）を取得する（Ｓ２２）。
【００６４】
次に、カテゴリー出力部３１は、カテゴリーを行先階登録装置１０に出力する。これにより図９Ｂに示したようにカテゴリー選択部１５は、行先階登録装置１０にカテゴリーを表示する（Ｓ２３）。次に、カテゴリー入力受付部３２は、利用者がカテゴリー選択部１５を操作してカテゴリーを選択したか否かを判定する（Ｓ２４）。カテゴリーが選択されていなければ（Ｓ２４のＮＯ）、カテゴリー入力受付部３２は、ステップＳ２４に戻ってカテゴリーの選択を待つ。
【００６５】
一方、カテゴリーが選択されていれば（Ｓ２４のＹＥＳ）、カテゴリー出力部３１は、選択されたカテゴリーの評価結果を行先階登録装置１０に出力する。これにより図９Ｃに示したようにカテゴリー選択部１５は、行先階登録装置１０にカテゴリーを表示する（Ｓ２５）。次に、カテゴリー入力受付部３２は、利用者がカテゴリー選択部１５を操作してカテゴリーの評価結果を選択したか否かを判定する（Ｓ２６）。カテゴリーの評価結果が選択されていなければ（Ｓ２６のＮＯ）、カテゴリー入力受付部３２は、ステップＳ２６に戻ってカテゴリーの評価結果の選択を待つ。
【００６６】
一方、カテゴリーの評価結果が選択されていれば（Ｓ２６のＹＥＳ）、号機選出部２５は、利用者に割当て可能な号機を選出する（Ｓ２７）。次に、号機情報出力部２６は、割当て可能号機を行先階登録装置１０に出力する。これにより、図９Ｄに示したように号機選択部１３は、行先階登録装置１０に割当て可能号機を表示する（Ｓ２８）。
【００６７】
次に、号機入力受付部２７は、利用者が乗車を希望する号機が登録されたか否かを判定する（Ｓ２９）。号機が登録されていなければ（Ｓ２９のＮＯ）、号機入力受付部２７は、ステップＳ２９に戻り、号機が登録されるまで待機する。号機が登録されていれば（Ｓ２９のＹＥＳ）、号機割当て部２８は、登録された号機を利用者に割当てて（Ｓ３０）、本処理を終了する。
【００６８】
以上説明した第３の実施の形態例に係る群管理制御システム１Ｂでは、利用者が行先階を登録すると、カテゴリーが表示される。利用者がカテゴリーを選択すると、選択されたカテゴリーに対応する号機情報が表示される。そして、利用者が号機情報を選択すると、号機が選出して表示され、この号機が利用者に割当てられる。このため、利用者は、優先すべきカテゴリー、号機情報に応じた適切な号機に乗車することができる。
【００６９】
［変形例］
なお、上述した各実施の形態例に係る群管理制御システム１、１Ａ、１Ｂにおいて、例えば、エレベーターが設置される建造物がオフィス、マンション等である場合、利用者はいつも同じ階を行先階として登録することが多い。この場合、優先すべきカテゴリー、号機情報も同じであることが多い。このため、行先階登録装置１０は、利用者が保持するＩＣカード、携帯端末等から利用者情報を読出す構成とし、この利用者情報に基づいて行先階の登録、カテゴリーの選択、号機情報の選択のいずれかを自動的に行えるようにしてもよい。
【００７０】
また、第３の実施の形態例に係る群管理制御システム１Ｂでは、利用者に号機が割当てられるまでに、行先階登録装置１０が複数の画面遷移を要する。このため、混雑する時間帯（出勤、退勤時間等）では、図９に示す画面遷移は行わず、群管理制御システム１における図３に示す画面遷移に切替える制御を行ってもよい。これにより行先階登録装置１０の前で利用者が渋滞する事態を避けることができる。
【００７１】
また、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は本発明を分かりやすく説明するために装置及びシステムの構成を詳細かつ具体的に説明したものであり、必ずしも説明した全ての構成を備えるものに限定されない。また、ここで説明した実施の形態例の構成の一部を他の実施の形態例の構成に置き換えることは可能であり、さらにはある実施の形態例の構成に他の実施の形態例の構成を加えることも可能である。また、各実施の形態例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７２】
１…群管理制御システム、１０…行先階登録装置、１１…入出力制御システム、１２…行先階登録部、１３…号機選択部、１４…号機情報表示部、２０…群管理制御装置、２１…行先階入力受付部、２２…待ち時間演算部、２３…混雑度判定部、２４…到着予想演算部、２５…号機選出部、２６…号機情報出力部、２７…号機入力受付部、２８…号機割当て部
【図１】
0006503313.tif 000002
【図２】
0006503313.tif 000003
【図３】
0006503313.tif 000004
【図４】
0006503313.tif 000005
【図５】
0006503313.tif 000006
【図６】
0006503313.tif 000007
【図７】
0006503313.tif 000008
【図８】
0006503313.tif 000009
【図９】
0006503313.tif 000010
【図１０】
0006503313.tif 000011